(57)【特許請求の範囲】
【請求項１】
円形の頂部および円筒形の側面からなり、容器のリップと係合されるキャップであって、
前記円形の頂部の表面には、２つの直線状の破断可能な溝部が対称かつ平行に周縁部から前記頂部の中心を超える長さで設けられ、
前記円筒形の側面の外面には、前記頂部の２つの溝部が垂直方向に下端まで延伸されており、前記側面に設けられた前記２つの溝部に挟まれた部分は、前記側面の下端から下方に延伸されて、下端が外側へと突出した形状であるつまみ部が形成され、
前記側面の内面には、前記容器のリップと係合する係合突起が同一円周上に設けられ、
前記円筒形の側面の外面には、前記頂部において前記溝部が延伸される方向に対して垂直方向において対向する２つの位置に、水平方向に突出する２つのつば部が設けられ、
前記２つのつば部のそれぞれの背面には、前記係合突起が存在しない平坦な部分が設けられており、
前記つまみ部を持って上方に引っ張ると、前記側面および頂部に設けられた前記溝部が破断され、その後、前記つば部の少なくとも１つを上方に持ち上げると、前記キャップの前記係合突起と前記容器の前記リップとの係合が、前記つば部の付近から順に解除され、前記キャップが前記容器本体から取り外されることを特徴とするキャップ。
【請求項２】
外周にリップを有する容器本体、前記容器本体の開口を塞ぐ中蓋、前記容器のリップと係合され、前記中蓋を上から覆うキャップからなる容器であって、
前記キャップは、裏面にパッキンが配置された円形の頂部および円筒形の側面からなり、
前記円形の頂部の表面には、２つの直線状の破断可能な溝部が対称かつ平行に周縁部から前記頂部の中心を超える長さで設けられ、
前記円筒形の側面の外面には、前記頂部の２つの溝部が垂直方向に下端まで延伸されており、前記側面に設けられた前記２つの溝部に挟まれた部分は、前記側面の下端から下方に延伸されて、下端が外側へと突出した形状であるつまみ部が形成され、
前記側面の内面には、前記容器のリップと係合する係合突起が同一円周上に設けられ、
前記円筒形の側面の外面には、前記頂部において前記溝部が延伸される方向に対して垂直方向において対向する２つの位置に、水平方向に突出する２つのつば部が設けられ、
前記２つのつば部のそれぞれの背面の位置には、前記係合突起が存在しない平坦な部分が設けられており、
前記つまみ部を持って上方に引っ張ると、前記側面および頂部に設けられた前記溝部が破断され、その後、前記つば部の少なくとも１つを上方に持ち上げると、前記キャップの前記係合突起と前記容器の前記リップとの係合が、前記つば部の付近から順に解除され、前記キャップが前記容器本体から取り外されることを特徴とする容器。
【発明の詳細な説明】
【技術分野】
【０００１】
本発明は、密閉性が求められ、一度開封されたら廃棄されるキャップおよび前記キャップを有する容器に関する。
【背景技術】
【０００２】
飲料水用の瓶、あるいは詰め替え用の化粧品を収容する容器等には、開封するまでは密閉性が求められ、一度開封されたら廃棄されるキャップが用いられている。このようなキャップは簡単に開封することが求められており、開封方法には様々な方法が存在し、例えば、マキシキャップ、リンプルキャップ等が用いられている。
【０００３】
マキシキャップやリンプルキャップは飲料水用の瓶に用いられることが多く、簡単に開封できるように、改良されたものも多数存在する（特許文献１参照）。
【先行技術文献】
【特許文献】
【０００４】
【特許文献１】特開平９−１３０７２１号公報
【発明の概要】
【発明が解決しようとする課題】
【０００５】
しかしながら、瓶のような口が小さい容器に使用されるマキシキャップやリンプルキャップを、口が大きい容器、例えば、クリーム等の化粧料が収容された容器に使用すると、瓶の場合のように簡単に開けることができない、あるいは、開けたときに中身が溢れ出るという問題が生じる。
【０００６】
そこで、本発明は口が大きい容器でも中身が溢れ出ることなく簡単に開けることができるキャップおよび前記キャップを用いた容器を提供することを目的とする。
【課題を解決するための手段】
【０００７】
本発明のキャップは、円形の頂部および円筒形の側面からなり、容器のリップと係合されるキャップであって、前記円形の頂部の表面には、２つの直線状の破断可能な溝部が対称かつ平行に周縁部から前記頂部の中心を超える長さで設けられ、前記円筒形の側面の外面には、前記頂部の２つの溝部が垂直方向に下端まで延伸されており、前記側面に設けられた前記２つの溝部に挟まれた部分は、前記側面の下端から下方に延伸されて、下端が外側へと突出した形状であるつまみ部が形成され、前記側面の内面には、前記容器のリップと係合する係合突起が同一円周上に設けられ、前記円筒形の側面の外面には、前記頂部において前記溝部が延伸される方向に対して垂直方向において、対向する２つの位置に２つのつば部が設けられ、前記２つのつば部のそれぞれの背面の位置には、前記係合突起が設けられていないことを特徴とする。
【０００８】
本発明の容器は、外周にリップを有する容器本体、前記容器本体の開口を塞ぐ中蓋、前記容器のリップと係合され、前記中蓋を上から覆うキャップからなる容器であって、前記キャップは、裏面にパッキンが配置された円形の頂部および円筒形の側面からなり、前記円形の頂部の表面には、２つの直線状の破断可能な溝部が対称かつ平行に周縁部から前記頂部の中心を超える長さで設けられ、前記円筒形の側面の外面には、前記頂部の２つの溝部が垂直方向に下端まで延伸されており、前記側面に設けられた前記２つの溝部に挟まれた部分は、前記側面の下端から下方に延伸されて、下端が外側へと突出した形状であるつまみ部が形成され、前記側面の内面には、前記容器のリップと係合する係合突起が同一円周上に設けられ、前記円筒形の側面の外面には、前記頂部において前記溝部が延伸される方向に対して垂直方向において、対向する２つの位置に２つのつば部が設けられ、前記２つのつば部のそれぞれの背面の位置には、前記係合突起が設けられていないことを特徴とする。
【発明の効果】
【０００９】
本発明のキャップは、円形の頂部および円筒形の側面からなり、容器のリップと係合されるキャップであって、前記円形の頂部の表面には、２つの直線状の破断可能な溝部が対称かつ平行に周縁部から前記頂部の中心を超える長さで設けられ、前記円筒形の側面の外面には、前記頂部の２つの溝部が垂直方向に下端まで延伸されており、前記側面に設けられた前記２つの溝部に挟まれた部分は、前記側面の下端から下方に延伸されて、下端が外側へと突出した形状であるつまみ部が形成され、前記側面の内面には、前記容器のリップと係合する係合突起が同一円周上に設けられ、前記円筒形の側面の外面には、前記頂部において前記溝部が延伸される方向に対して垂直方向において、対向する２つの位置に２つのつば部が設けられ、前記２つのつば部のそれぞれの背面の位置には、前記係合突起が設けられていないことにより、簡単な動作で確実に取り外すことができるキャップを実現する。
【００１０】
本発明の容器は、外周にリップを有する容器本体、前記容器本体の開口を塞ぐ中蓋、前記容器のリップと係合され、前記中蓋を上から覆うキャップからなる容器であって、前記キャップは、裏面にパッキンが配置された円形の頂部および円筒形の側面からなり、前記円形の頂部の表面には、２つの直線状の破断可能な溝部が対称かつ平行に周縁部から前記頂部の中心を超える長さで設けられ、前記円筒形の側面の外面には、前記頂部の２つの溝部が垂直方向に下端まで延伸されており、前記側面に設けられた前記２つの溝部に挟まれた部分は、前記側面の下端から下方に延伸されて、下端が外側へと突出した形状であるつまみ部が形成され、前記側面の内面には、前記容器のリップと係合する係合突起が同一円周上に設けられ、前記円筒形の側面の外面には、前記頂部において前記溝部が延伸される方向に対して垂直方向において、対向する２つの位置に２つのつば部が設けられ、前記２つのつば部のそれぞれの背面の位置には、前記係合突起が設けられていないことにより、口が大きい容器であっても、容器内に収容された液体あるいはクリーム状の収容物が溢れ出ることなく、キャップを簡単な動作で取り外すことができる。
【図面の簡単な説明】
【００１１】
【図１】キャップの平面図であり、（ａ）は上からの平面図、（ｂ）は下からの平面図である。
【図２】容器の斜視図であり、（ａ）はキャップが取り付けられた状態の斜視図、（ｂ）キャップを開ける途中の斜視図である。
【図３】容器本体および中蓋の斜視図である。
【図４】クリーム用外容器に容器を収容した状態を示す斜視図であり、（ａ）は蓋を開けた状態、（ｂ）は蓋を閉めた状態を示す。
【図５】容器の断面図である（ａ）と（ｂ）は互いに直交する方向の断面図である。
【図６】図５のＡ部拡大図である。
【発明を実施するための形態】
【００１２】
本発明を図を用いて以下に詳細に説明する。図１が本発明のキャップ１の平面図であり、図２が本発明のキャプを用いた容器１０である。本発明のキャップ１は、図１，２に示すように、円形の頂部２と、円筒形の側面３からなる。前記キャップ１は樹脂製であり、ここではポリエチレン樹脂を用いて成型されたものを用いる。
【００１３】
前記円形の頂部２には、破断可能な２つの直線状の溝部４が対称かつ平行に周縁部から前記頂部２の中心を超える長さで設けられており、前記２つの溝部４は前記周縁部から前記側面３の下端まで垂直方向に延伸されている。前記溝部４は切り取り線として使用するために厚みを薄くしたものであり、略Ｖ字状の断面を有している。前記略Ｖ字状の断面のＶ字の角度はここでは６０°とし、溝部４の底面の厚さを約０．３ｍｍとして、容易に溝部４を切り取り線として使用することができるようにする。前記溝部４の断面形状や底の厚みは材質や大きさに応じて適宜設定可能である。
【００１４】
前記側面３に設けられた前記２つの溝部４に挟まれた部分は、前記側面２の下端からさらに下方に延伸されて、下端が外側へと突出した形状であるつまみ部６が形成されている。前記２つの溝部４に挟まれた部分と前記つまみ部６は前記キャップ１を開ける際にタブとして用いられ、前記つまみ部６を持って上方に引っ張ると、前記溝部４が破断されて、図２（ｂ）に示すように、前記タブの部分が捲れ上がって前記頂部２および前記側面３の一部が切り欠かれた状態となり前記キャップ１を開けるための第１段階となる。このように、前記側面３および前記頂部２の一部を切り取るために、前記溝部４を設けている。前記つまみ部６は、図５（ｂ）に示すように、下方に行くにつれて外側へと反っており、これにより、前記つまみ部６を引っ張り易くしている。
【００１５】
前記側面３の外面には、前記頂部２において前記溝部４が延伸される方向（図１の垂直方向）に対して垂直方向（図１の水平方向）において、対向する２つの位置に２つのつば部５が設けられている。図２に示すように、前記つば部５は前記側面３の外面の下端から外側に水平に突出しており、その平面形状は略三日月形状である。
【００１６】
前記側面３の内面には係合突起７が同一円周上に設けられており、図１（ｂ）に示すように、前記２つのつば部５のそれぞれの背面の位置には、前記係合突起７が設けられていない部分が存在する。前記係合突起７は後述する容器本体１１のリップ１３と係合することで、前記容器本体１１に固定される。
【００１７】
前記キャップ１を開ける際には、前記溝部４を破断した後で、前記つば部５に対して上方に力を加えて前記キャップ１を前記容器本体１１から取り外そうとすると、前記係合突起７が存在しない部分の両側に位置する前記係合突起７の部分から前記リップ１３との係合が徐々に解除され、最終的に全ての係合が解除されて前記キャップ１が取り外されるが、この段階が前記キャップ１を開けるための第２段階となる。
【００１８】
また、前記側面３の内面の前記係合突起７が設けられている部分の上方には、図６に示すように、前記係合突起７よりも小さい突起あるいは段差８が設けられており、前記段差８によって前記頂部２の裏面にパッキン９が保持されるようになっている。前記パッキン９は前記キャップ１の密閉度を高めるために用いられる。
【００１９】
続いて、上述のような前記キャップ１を用いた本発明の容器１０について説明すると同時に、前記キャップ１の取り外し方法についても説明する。
【００２０】
本発明の容器１０は、図２，３に示すように、前記キャップ１、容器本体１１、および中蓋１２からなる。前記容器本体１１および中蓋１２も樹脂製であり、ここでは前記容器本体１１はポリプロピレン樹脂、前記中蓋１２は低密度ポリエチレン樹脂を用いて成型されたものを用いる。前記容器本体１１に設けられたリップ１３に前記キャップ１の前記係合突起７が係合することで、前記容器本体１１に前記キャップ１が取り付けられる。前記リップ１３は、図５に示すように、前記容器本体１１の上端を外側へと折り返した形状であり、折り返した部分の下端が前記係合突起７と接することで係合が行われる。
【００２１】
前記中蓋１２は、図５に示すように、その外周縁が前記容器本体１１の開口に設けられた段差部１４に嵌った状態で固定されて前記容器本体１１を閉じて、図３のような状態となる。そして、前記中蓋１２で閉じた容器本体１１に前記キャップ１を取り付けると、図２（ａ）に示すように、前記容器１０は密閉された状態となる。前記容器１０の密閉度を高めるために、前記容器本体１１の前記パッキン９と接する部分に突起を設けて、前記突起が前記パッキン９に食い込むようにする。
【００２２】
また、前記中蓋１２の上面には、前記中蓋１２を取り外し易いように持ち手１５を設けている。前記持ち手１５は折れ曲がり可能であり、図５に示すように、前記キャップ１が取り付けられた状態では、より深く折り曲げられた状態となっている。
【００２３】
次に、前記容器１０の使用方法を説明する。一般的には、前記容器本体１１内に収容物、例えば化粧品のクリームを詰めて、上述のように前記中蓋１２および前記キャップ１で閉じた状態（図２（ａ）参照）で、詰め替え用のクリームとして販売される。
【００２４】
使用者は、表面に装飾等が施されたクリーム用外容器２０に入っている容器と、新しいクリームが入った容器１０を入れ替えることで、前記クリーム用外容器２０に新しいクリームを詰め替えて使用する。
【００２５】
そのために、前記容器１０の前記キャップ１を取り外す。先ずは、前記キャップ１のつまみ部６を持って上側に引っ張り、前記側面３の前記溝部４を破断させて、さらに力を加えて、前記頂部３の前記溝部４を破断させる。すると、タブとなる前記２つの溝部４に挟まれた部分が上側に捲れて、図２（ｂ）に示すような状態となる。これが前記キャップ１を取り外すための第１段階となる。
【００２６】
このようにして、前記側面３および前記頂部２の一部を切り取った後、前記側面３のつば部５の一方、あるいは両方に上方へと力を加えて持ち上げると、前記キャップ１の前記係合突起７と前記容器本体１１の前記リップ１３との係合が、前記２つのつば部５の付近から解除され、最後は、全ての前記係合突起７と前記リップ１３との係合が解除される。これが前記キャップ１を取り外すための第２段階となる。このようにして全ての前記係合突起７と前記リップ１３との係合が解除されたら、前記キャップ１は前記容器本体１１から取り外される。
【００２７】
このように、前記つば部５に力を加えると、前記側面３および前記頂部２の一部が切り取られた状態となっているので、前記キャップ１は、前記２つのつば部５の方へと広がるように変形し、前記係合突起７と前記リップ１３との係合が解除し易くなる。さらに、前記つば部５が位置する側面３の内面には前記係合突起７が存在しない部分があるので、前記側面３の内面の全周に係合突起７を設けた場合よりも、前記係合突起７と前記リップ１３との係合を解除し易くなる。
【００２８】
このようにして、前記キャップ１はつまみ部６を上に引っ張ってタブの部分を切り欠いた状態とした後で、前記つば部５を持ち上げることで、簡単に前記キャップ１を前記容器本体１１から取り外すことができる。本発明の容器１０は上述のように、前記キャップ１を取り外すには２つの動作が必要となる。しかし、口が大きい容器の場合、マキシキャップやリンプルキャップといった１つの動作でキャップを取り外す方法を用いると、容器の中身が液体あるいはクリーム状の場合に、キャップを取り外す際に中身が溢れ出てしまう恐れがあるが、本発明のキャップ１を用いた容器１０では、２つの動作を用いることで中身が溢れ出ることなく安心してキャップ１を取り外すことが可能となる。
【００２９】
前記キャップ１を取り外した後は、前記クリーム用外容器２０に収容された容器を取り出し、図４（ａ）に示すように、新しいクリームが詰まった前記容器１０をクリーム用外容器２０に入れると、前記クリーム用外容器２０は、新しいクリームが詰め替えられた状態となる。この際、前記中蓋１２を取り付けた状態で、蓋２１を閉めると図４（ｂ）の状態となる。前記中蓋１２は前記クリーム用外容器２０の中蓋として使用することができる。
【００３０】
このように、本発明の容器１０は、２つの動作を用いることで、口の大きい容器に液体等を収容した場合でも、中身が溢れ出ることなく確実にキャップ１を取り外すことができる。また、口の小さい容器にも適用することが可能である。
【００３１】
本発明における材質等はここに記載したものに限定するものではなく、他の材質を用いることもできる。また、つば部５、つまみ部６の形状等についても特に限定するものではない。また、前記溝部４の長さは少なくとも前記頂部２の中心を超えるまでを切り欠くことが取り外し易さに繋がるので、前記溝部４の前記頂部２の中心を超えた部分の長さについては、キャップ１の大きさや材質に応じてキャップ１の取り外し易さを考慮して決定することができる。
【符号の説明】
【００３２】
１      キャップ
２      頂部
３      側面
４      溝部
５      つば部
６      つまみ部
７      係合突起
８      段差
９      パッキン
１０    容器
１１    容器本体
１２    中蓋
１３    リップ
１４    段差部
１５    持ち手
２０    クリーム用外容器
２１    蓋
【図１】
0005616161.tif 000002
【図２】
0005616161.tif 000003
【図３】
0005616161.tif 000004
【図４】
0005616161.tif 000005
【図５】
0005616161.tif 000006
【図６】
0005616161.tif 000007